(57)【要約】【課題】壁面と天井面とがせん断方向に動いても、見切り部に位置する壁装材に剥がれや捩れ等が生じることのない下地コーナー材を提供する。【解決手段】壁側の下地材７と天井側の下地材８との間の見切り部９に設けられるとともに、表面に壁装材１０が貼り付けられる下地コーナー材１であって、壁側の下地材７に接合される一方の接合部２と、天井側の下地材８に接合される他方の接合部３と、両接合部２、３間に設けられる連結部４と、一方の接合部２と連結部４との間を連結する一方の屈曲部５と、他方の接合部３と連結部４との間を連結する他方の屈曲部６とを備える。一方の屈曲部５を弾性変形可能な弾性材で構成する。壁面と天井面との間にせん断方向への動きが生じても、一方の屈曲部５が弾性変形することによりその動きを吸収し、壁装材１０の剥がれ、捩れ等が生じるのを防止する。【選択図】        図３
2004300862.tif 000002
【特許請求の範囲】
【請求項１】
壁側の下地材と天井側の下地材との間の見切り部に設けられるとともに、表面に壁装材が貼り付けられる下地コーナー材であって、壁側の下地材の縁部に接合される平板状の一方の接合部と、天井側の下地材の縁部に接合される平板状の他方の接合部と、両接合部間に設けられる平板状の連結部と、一方の接合部と連結部の一端との間を所定の角度をもって連結する一方の屈曲部と、他方の接合部と連結部の他端との間を所定の角度をもって連結する他方の屈曲部とを備え、前記両屈曲部のうちの少なくとも何れか一方を弾性変形可能な弾性材で構成したことを特徴とする下地コーナー材。
【請求項２】
請求項１に記載の下地コーナー材であって、前記弾性変形可能な弾性材で構成した一方の屈曲部又は他方の屈曲部を、その表面に貼り付けた壁装材と一体に切断するように構成したことを特徴とする下地コーナー材。
【請求項３】
建築物の壁面及び天井面にそれぞれ下地材を設け、両下地材間に下地コーナー材を設けるとともに、前記壁側の下地材の表面、前記天井側の下地コーナー材の表面、及び前記下地コーナー材の表面に壁装材を貼り付ける内装施工方法であって、前記下地コーナー材に請求項１又は２に記載の下地コーナー材を用いたことを特徴とする内装施工方法。
【発明の詳細な説明】
【０００１】
【発明の属する技術分野】
本発明は、住宅等の建築物の内装に使用される壁紙等の壁装材の下地材及びその下地材を用いた内装施工方法に関し、特に、壁側の下地材と天井側の下地材との間の見切り部に使用される下地コーナー材及びその下地コーナー材を用いた内装施工方法に関するものである。
【０００２】
【従来の技術】
一般に、住宅等の建築物の内装に使用される壁紙等の壁装材は、各種の施工方法によって壁面から天井面にかけて連続して貼り付けられており、例えば、図７に示すように、建築物の壁面及び天井面に石膏ボード、合板等からなる下地材１７、１８を設け、両下地材１７、１８の見切り部１９にパテ１５を埋め込み、「へ」形状の下地コーナー材１１を両面テープによって両下地材１７、１８間に貼り付け、両下地材１７、１８間を下地コーナー材１１の平坦面で連結し、この上で、壁装材２０を下地材１７、１１、１８の表面にパテ１６を介して又は直接に壁面から天井面にかけて連続して貼り付けられている。
【０００３】
また、図示はしないが、壁側の下地材と天井側の下地材との間の見切り部に目地テープを貼り付け、又はパテを埋め込むことにより、両下地材間を目地テープ又はパテの平坦面で連結し、この上で、壁装材を下地材の表面にパテを介して又は直接に壁面から天井面にかけて貼り付けることも行われている。さらに、壁側の下地材と天井側の下地材との間の見切り部にハット型の下地コーナー材を設け、この下地コーナー材により壁装材を目透かし仕上げすることも行われている。
【０００４】
一方、「へ」形状の下地コーナー材に類似するものとして、軟質合成樹脂製の蝶番部の左右端部に硬質合成樹脂製の平板を一体に連結したコーナー材が知られている（例えば、特許文献１参照。）。
【０００５】
このような構成のコーナー材は、壁面の出隅部や入隅部等の角部に設けることによって隣接する下地材間を平坦面で連結することができるので、壁側の下地材と天井側の下地材との間の見切り部にも利用することができるものである。
【０００６】
【特許文献１】
実公昭６２−４００３０号公報
【０００７】
【発明が解決しようとする課題】
ところで、上記の「へ」形状の下地材、目地テープ、及びパテ埋めの平坦面によって見切り部を連結したものは、建築物がツーバイフォー工法によって建築されたものである場合に、見切り部の天井面と壁面との間にせん断方向への動きが生じ易く、見切り部に応力が集中し易いため、見切り部に位置している壁装材の部分に剥がれ、捩れ等が生じることがある。このため、剥がれ、捩れ等が生じた壁装材を貼り替える等のメンテナンスが必要となる。
【０００８】
また、ハット型の下地コーナー材を用いたものは、船底天井（勾配天井）の場合に、下地コーナー材の樹脂部分が露出してしまうため、見た目が良くない。
【０００９】
さらに、特許文献１に記載されているコーナー材は、軟質合成樹脂製の蝶番部の弾性変形によって、見切り部の天井面と壁面との間に生じるせん断方向への動きを少しは吸収することができるが、それでも充分ではなく、見切り部の壁装材の部分に剥がれ、捩れ等が生じるのを完全に阻止することができない。
【００１０】
本発明は、上記のような従来の問題に鑑みなされたものであって、壁面の下地材と天井面の下地材との間の見切り部を平坦面で連結することができて、壁装材を見切り部に皺等が生じることなく綺麗に貼り付けることができるとともに、見切り部の壁側の面と天井側の面との間にせん断方向への動きが生じても、その動きによって見切り部の壁装材の部分に剥がれや捩れ等が生じることがなく、さらに、船底天井（勾配天井）であっても、下地が露出することなく綺麗に壁装材を貼り付けることができる、下地コーナー材及びその下地コーナー材を用いた内装施工方法を提供することを目的とするものである。
【００１１】
【課題を解決するための手段】
上記のような課題を解決するために、本発明は、以下のような手段を採用している。
すなわち、請求項１に係る発明は、壁側の下地材と天井側の下地材との間の見切り部に設けられるとともに、表面に壁装材が貼り付けられる下地コーナー材であって、壁側の下地材の縁部に接合される平板状の一方の接合部と、天井側の下地材の縁部に接合される平板状の他方の接合部と、両接合部間に設けられる平板状の連結部と、一方の接合部と連結部の一端との間を所定の角度をもって連結する一方の屈曲部と、他方の接合部と連結部の他端との間を所定の角度をもって連結する他方の屈曲部とを備え、前記両屈曲部のうちの少なくとも何れか一方を弾性変形可能な弾性材で構成したことを特徴とする。
この発明による下地コーナー材によれば、一方の屈曲部又は他方の屈曲部を弾性変形させることにより、各種の勾配の天井に対応することができ、壁側の下地材と天井側の下地材との間の見切り部を平坦面で連結することができることになる。また、壁面と壁面との間にせん断方向への動きが生じた場合には、その動きを弾性材で構成されている屈曲部が弾性変形することにより吸収することができることになる。
【００１２】
請求項２に係る発明は、請求項１に記載の下地コーナー材であって、前記弾性変形可能な弾性材で構成した一方の屈曲部又は他方の屈曲部を、その表面に貼り付けた壁装材と一体に切断するように構成したことを特徴とする。
この発明による下地コーナー材によれば、一方の屈曲部又は他方の屈曲部は壁装材と一体に切断され、その部分から一方の接合部と他方の接合部とが切り離されることになる。従って、壁面と天井面との間にせん断方向への動きが生じても、その動きに追従して一方の接合部及び他方の接合部が動くことにより、見切り部に位置している壁装材に剥がれや捩れ等が生じるようなことはない。
【００１３】
請求項３に係る発明は、建築物の壁面及び天井面にそれぞれ下地材を設け、両下地材間に下地コーナー材を設けるとともに、前記壁側の下地材の表面、前記天井側の下地コーナー材の表面、及び前記下地コーナー材の表面に壁装材を貼り付ける内装施工方法であって、前記下地コーナー材に請求項１又は２に記載の下地コーナー材を用いたことを特徴とする。
この発明による内装施工方法によれば、下地コーナー材の一方の屈曲部又は他方の屈曲部を弾性変形させることにより、各種の勾配の天井に対応することができ、壁側の下地材と天井側の下地材との間の見切り部を平坦面で連結することができることになる。また、壁面と壁面との間にせん断方向への動きが生じた場合には、その動きを弾性材で構成されている屈曲部が弾性変形することにより吸収することができることになる。さらに、一方の屈曲部又は他方の屈曲部は壁装材と一体に切断され、その部分から一方の接合部と他方の接合部とが切り離されることになるので、壁面と天井面との間にせん断方向への動きが生じても、その動きに追従して一方の接合部及び他方の接合部が動くことにより、見切り部に位置している壁装材に剥がれや捩れ等が生じるようなことはない。
【００１４】
【発明の実施の形態】
以下、図面を参照しつつ、本発明の実施の形態について説明する。
図１及び図２には、本発明による下地コーナー材の一実施の形態が示されていて、この下地コーナー材１は、住宅等の建築物の内装に使用される壁紙等の壁装材の下地材として用いられるものであて、壁側の下地材と天井側の下地材との間の見切り部等のコーナー部に有効に適用することができるものである。
【００１５】
すなわち、この下地コーナー材１は、平板状の一方の接合部２と、平板状の他方の接合部３と、両接合部２、３間に設けられる平板状の連結部４と、一方の接合部２と連結部４の一端との間を連結する一方の屈曲部５と、他方の接合部３と連結部４の他端との間を連結する他方の屈曲部６とを備えている。
【００１６】
一方の接合部２、他方の接合部３、及び連結部４は、ステンレス、アルミニウム、アルミニウム合金等の金属、硬質の合成樹脂等から形成されている。但し、これらに限定することなく、他の材質で形成しても良い。
【００１７】
一方の屈曲部５は、一方の接合部２が垂直方向下方を向き、連結部４が一方の接合部２に対して約４５°の角度で下方を向くように、屈曲角度が調整されている。この場合、一方の屈曲部５は、弾性変形可能な弾性材、例えば、ゴム状弾性体等の軟質エラストマーから形成され、この一方の屈曲部５を弾性変形させることにより、連結部４と一方の接合部２との間の角度を０〜１８０°の範囲内の任意の値に調整することができ、天井の勾配（０〜９０°）に対応することができる。
【００１８】
他方の屈曲部６は、他方の接合部３が水平線に対して斜め上方約４５°の方向を向き、連結部４が他方の接合部３に対して約９０°の角度で斜め上方を向くように、屈曲角度が調整されている。この場合、他方の屈曲部６は、他方の接合部３及び連結部４と一体に形成されているが、別体に形成して両者を一体に連結しても良い。
【００１９】
そして、上記のような構成の下地コーナー材１を用いて本発明による内装施工方法を実施するには、図３に示すように、建築物の壁面及び天井面に石膏ボード、合板等からなる下地材７、８を設け、両下地材７、８間の見切り部９に上述した下地コーナー材１を設け、一方の接合部２を両面テープ等によって壁側の下地材７の縁部に接合し、他方の接合部３を両面テープ等によって天井側の下地材８の縁部に接合し、両下地７、８間を下地コーナー材１の平坦面（一方の接合部２、連結部４、及び他方の接合部３）を介して連結する。
【００２０】
そして、両接合部２、３の壁側の下地材７及び天井側の下地材８の上部に位置している表面に必要に応じて耐パテ用プライマー（図示せず）を塗布し、両接合部７、８の見切り部９内に位置している表面及び連結部４の表面に必要に応じて水活性プライマー（図示せず）を塗布する。
【００２１】
そして、この状態で、図４（ａ）に示すように、壁側の下地材７の表面から下地コーナー材１の一方の接合面２の表面にかけて壁紙等の壁装材１０を接着剤等によって貼り付け、壁装材１０の余った端部１０ａを下地コーナー材１の一方の屈曲部５で折り返して弛ませ、その弛ませた端部１０ａをカッター１５等によって切断する。そして、図４（ｂ）に示すように、天井側の下地材８の表面から下地コーナー材１の他方の接合部３の表面及び連結部４の表面にかけて壁紙等の壁装材１０を接着剤等によって貼り付け、壁装材１０の余った端部１０ａを下地コーナー材１の一方の屈曲部５で折り返して弛ませ、その端部１０ａをカッター１５等によって切断する。そして、壁側の壁装材１０の端部１０ａの切断面と天井側の壁装材１０の端部１０ａの切断面を下地コーナー材の一方の屈曲部５上で繋ぎ合わせる。
【００２２】
このようにして、壁面から天井面にかけて壁装材１０を貼り付けることができるものである。この場合、図５に示すように、壁装材１０の余った端部１０ａを切断するときに、一方の屈曲部５を一緒にカッター１５等によって切断して、下地コーナー材１を壁側の一方の接合部２と天井側の他方の接合部３及び連結部４とに分離しても良い。
【００２３】
上記のように構成したこの実施の形態による下地コーナー材１及び内装施工方法にあっては、壁側の下地材７と天井側の下地材８との間の見切り部９を平坦面（一方の接合部２、連結部４、及び他方の接合部３）で連結することができるので、その部分に壁装材１０を皺等を生じさせることなく綺麗に貼り付けることができる。
【００２４】
また、壁側の壁装材１０及び天井側の壁装材１０は、下地コーナー材１の一方の屈曲部５で余った端部１０ａを切断し、切断面同士をその部分で繋ぎ合わさせているので、繋ぎ目を一方の屈曲部５に綺麗に収めることができ、見た目を良くすることができる。
【００２５】
さらに、壁側の下地材から天井側の下地材にかけて壁装材を一連に貼り付ける従来の内装施工方法に比べて、施工が容易になるとともに、仕上がりが綺麗になる。さらに、貼り替え時の壁装材を剥がす作業、及び貼り付ける作業も容易となる。
【００２６】
さらに、下地コーナー材１の一方の接合部２と連結部４との間に位置する一方の屈曲部５は、弾性変形可能な弾性材から構成されているので、壁面と天井面との間にせん断方向への動きが生じても、一方の屈曲部５が弾性変形することによりその動きを吸収できることになる。従って、見切り部９に位置している壁装材１０の部分に剥がれや捩れ等が生じるようなことはない。
【００２７】
さらに、図５に示すように、一方の屈曲部５をカッター１５等によって切り離した場合には、壁面と天井面との間にせん断方向への動きが生じても、その動きに追従して、一方の接合部２と他方の接合部３及び連結部４とが追従して接近する方向又は離れる方向に動くことになるので、見切り部９に位置する壁装材１０の部分に剥がれや捩れが生じたりするようなことはない。
【００２８】
さらに、建築物の天井が船底天井（勾配天井）であっても、その勾配に応じて一方の屈曲部５を弾性変形させることにより、壁側の下地材７と天井側の下地材８との間を平坦面で連結することができるので、壁装材１０を下地コーナー材１の表面に余すとことなく容易に貼り付けることができ、下地コーナー材１が露出するようなことはなく、見た目を良くすることができる。さらに、一方の屈曲部５に位置する壁装材１０の切れ目は、一方の屈曲部５が約４５°の角度で屈曲していることにより、外から見えにくく、見た目が悪くなるようなことはない。
【００２９】
なお、前記の説明においては、一方の屈曲部５を約４５°の角度に設定したが、図６に示すように、天井の勾配に合わせて約０°の角度に設定しても良い。さらに、前記の説明においては、一方の屈曲部５を弾性変形可能な弾性材で形成したが、他方の屈曲部６を弾性変形可能な弾性材で形成しても良いし、両屈曲部５、６を弾性変形可能な弾性材で形成しても良い。
【００３０】
【発明の効果】
以上、説明したように、本発明の下地コーナー材及びその下地コーナー材を用いた内装施工方法によれば、壁側の下地材と天井側の下地材との間の見切り部を平坦面である一方の接合部、連結部、及び他方の接合部で連結することができるので、その部分に位置する壁装材に皺等を生じさせることなく、綺麗に壁装材を貼り付けることができる。
また、一方の接合部と連結部との間に位置する一方の屈曲部は、弾性変形可能な弾性材から構成されているので、又はカッター等によって壁装材と一体に切り離されているので、見切り部の壁側の面と天井側の面との間にせん断方向への動きが生じても、その動きに追従して一方の屈曲部が弾性変形することになり、又は一方の接合部と他方の接合部とが追従して接近する方向又は離れる方向に動くことになるので、見切り部に位置する壁装材の部分に剥がれや捩れ等が生じるようなことはない。
さらに、建築物の天井が船底天井（勾配天井）であっても、その勾配に応じて一方の屈曲部を弾性変形させることにより、壁側の下地材と天井側の下地材との間を平坦面で連結することができるので、壁装材を下地コーナー材の表面に余すとことなく容易に貼り付けることができ、下地コーナー材が露出するようなことはなく、見た目を良くすることができる。
さらに、一方の屈曲部に位置する壁装材の切れ目は、一方の屈曲部が屈曲していることにより、外から見えにくく、見た目が悪くなるようなことはない。
さらに、壁側の壁装材と天井側の壁装材の繋ぎ目を下地コーナー材の一方の屈曲部に位置させることができるので、壁装材を壁側から天井側にかけて一連に貼り付ける従来の施工方法に比べて施工が容易になるとともに、張り替え時の壁装材を剥がす作業及び貼り付ける作業も容易となる。
【図面の簡単な説明】
【図１】本発明による下地コーナー材の一実施の形態を示した端面図である。
【図２】図１のＡ部の拡大図である。
【図３】本発明による下地コーナー材を用いた内装施工方法の一実施の形態を示した説明図である。
【図４】図３に示す内装施工方法の一手順を示した説明図であって、（ａ）は壁側の壁装材の貼付け手順、（ｂ）は天井側の壁装材の貼付け手順を示した説明図である。
【図５】図３に示す内装施工方法の変形例を示した説明図である。
【図６】本発明による下地コーナー材の変形例を示した端面図である。
【図７】従来の下地コーナー材を用いた内装施工方法の一例を示した説明図である。
【符号の説明】
１  下地コーナー材
２  一方の接合部
３  他方の接合部
４  連結部
５  一方の屈曲部
６  他方の屈曲部
７、８  下地材
９  見切り部
１０  壁装材
【図１】
2004300862.tif 000003
【図２】
2004300862.tif 000004
【図３】
2004300862.tif 000005
【図４】
2004300862.tif 000006
【図５】
2004300862.tif 000007
【図６】
2004300862.tif 000008
【図７】
2004300862.tif 000009